(57)【要約】【課題】  左右どちらのコンタクトレンズがどちらの収納空間に分離収納されているか間違えることのないコンタクトレンズ収納容器を提供する。【解決手段】  中央に隔壁９を形成して左右２枚のコンタクトレンズＲ、Ｌを分離収納可能な上下２つの収納空間Ｓ1、Ｓ2を形成した円筒状の容器本体１と、前記両収納空間Ｓ1、Ｓ2内に向けてコンタクトレンズＲ、Ｌが挟持可能な二股の挟持片を突設したレンズ把持部８を設けた液体密封用のキャップ２、３とから成るコンタクトレンズ収納容器において、一方のキャップ２の上面２ａのみに凹凸目印４を形成する。この凹凸目印４には、キャップ２が安定的に直立に自立できるように、該キャップ２の上面２ａの周縁近くに相互に間隔を開けて３点の最高となる突出部５、６、７を形成する。【選択図】      図１
0003116688.tif 000002
【実用新案登録請求の範囲】
【請求項１】
中央に形成した隔壁により左右２枚のコンタクトレンズが分離収納可能な上下２つの収納空間を形成した円筒状の容器本体と、前記両収納空間内に向けてコンタクトレンズを挟持可能なレンズ把持部を突設した２個の液体密封用のキャップとから成るコンタクトレンズ収納容器において、
前記両キャップのうち一方の上面のみに凹凸目印を形成して成り、
該凹凸目印内に、前記キャップ上面を下にして水平面に容器本体を直立させて置いたとき該水平面に接する３点以上の最高となる突出部を該上面の周縁寄り部位に分散させて配置したことを特徴とするコンタクトレンズ収納容器。
【請求項２】
凹凸目印の最高となる各突出部を同一平面上に平面となるように形成したことを特徴とする請求項１に記載のコンタクトレンズ収納容器。
【請求項３】
凹凸目印の形状を記号又は絵としたことを特徴とする請求項１又は２に記載のコンタクトレンズ収納容器。
【考案の詳細な説明】
【技術分野】
【０００１】
本考案は、左右の目に使用するコンタクトレンズを二枚分離収納する円筒形のコンタクトレンズ収納容器に関する。
【背景技術】
【０００２】
従来、中央に隔壁を形成して左右の目に使用する二枚のコンタクトレンズを分離収納可能とする２つの収納空間を有する円筒状のコンタクトレンズ用液封入容器に、その容器内部に向けてコンタクトレンズを挟持可能な二つ挟持片を突設したキャップが装着できるよう構成したコンタクトレンズ収納容器が提供されている（特許文献１参照）。
このコンタクトレンズ収納容器は二つの収納空間を内部のコンタクトレンズ用液が往復可能な連通型と混ざらなように閉じた独立型とがあるが、連通型ではコンタクトレンズ収納容器に先ず左右いずれか一方側のキャップを装着して用液を充填し、次に他方のキャップを装着し、用液中に左右２枚のコンタクトレンズが分離収納できるようになっている。
この容器の使用に際しては、コンタクトレンズが汚れないように、両方のキャップの挟持片にコンタクトレンズを装着してキャップの上面を下にして立てておき、一方のキャップを前記コンタクトレンズ収納容器に装着して用液を入れてから、さらに他方のキャップを装着し、どちらのキャップを上にしても容器本体が立てておけるようになっていて、このキャップの形状は左右が全く同一であった。
【特許文献１】特開平１１−３０５１７４号公報
【考案の開示】
【考案が解決しようとする課題】
【０００３】
このように上記特許文献１に記載のような従来のコンタクトレンズ収納容器では、左右のキャップが全く同じ形状なので、コンタクトレンズを使用する際に、分離収納された２つのコンタクトレンズの左右がどちらのキャップに保持され、どちらの収納空間に収められているかが分からなくなり、左右を間違えて眼に装着しまうことがあった。
コンタクトレンズの左右を間違えると、度数の近いレンズでは使用者本人でも左右どちらのものか見分けがつかないので眼科医師などに確認してもらわなければならなくなることがある。
また着け直しのために時間が余計かかってしまうのみならず、その間にコンタクトレンズが汚れる機会が増えることになる問題があった。
また、左右のキャップが確認できるように、左右のコンタクトレンズの区別をキャップを異なる色にしたり、右側（Ｒ・ライト）、左側（Ｌ・レフト）の文字をキャップの表面に印刷して、視覚的に見分けられるようにした容器も提供されているが、そのように視覚での区別では、例えば異なる色にした場合、どちらの色が左であったか右であったかを忘れることがあり、またキャップ表面の印刷文字では裏側から見ると分からなくなるので、このような容器であっても上記特許文献１の容器と同様にキャップの形状が左右同一でなので、依然として違えやすいという問題は解決されず、実際に左右を取り違えるミスを解消することができなかった。
そこで本考案は、コンタクトレンズの左右を間違えやすいという従来の二枚分離収納型のコンタクトレンズ収納容器における上記難点を解決し、コンタクトレンズが汚れないように挟持片に装着したままで逆さに安定して立てて置くことが可能なキャップを備えたコンタクトレンズ収納容器を提供することを目的とする。
【課題を解決するための手段】
【０００４】
上記課題を解決するため、本考案のコンタクトレンズ収納容器は、中央に形成した隔壁により左右２枚のコンタクトレンズが分離収納可能な上下２つの収納空間を形成した円筒状の容器本体と、前記両収納空間内に向けてコンタクトレンズを挟持可能なレンズ把持部を突設した２個の液体密封用のキャップとから成るコンタクトレンズ収納容器において、  前記両キャップのうち一方の上面のみに凹凸目印を形成して成る。
そして該凹凸目印内に、前記キャップ上面を下にして水平面に容器本体を直立させて置いたとき該水平面に接する３点以上の最高となる突出部を該上面の周縁寄り部位に分散して配置したことを特徴とする。
【０００５】
請求項２に記載の考案は、上記考案の構成において、前記凹凸目印の最高となる突出部を同一平面上に平面となるように形成したことを特徴とする。
【０００６】
請求項３に記載の考案は、上記考案の構成において、前記凹凸目印の形状を記号又は絵としたことを特徴とする。
【考案の効果】
【０００７】
本考案は、キャップ上面の周縁寄り部位に分散して配置した３点以上の最高となる突出部を含む凹凸目印を、その３点の最高となる突出部が水平面上に接するように形成したので、水平面上に容器本体とキャップのどちらも傾いたりせずに、安定的に直立状態に自立して置けるとともに、前記キャップの上面に形成した凹凸目印は、一方のキャップのみに形成されているので、左右の分離収納されたコンタクトレンズがどちらの収納空間に収められているかを目で見るだけではなく、指で触れて体感によって確かめられるので左右のものを間違えることが殆どなくなる。
その際に、凹凸目印を記号又は絵としたことで視覚的にもより明確に認識できるようになってより間違えることが減少し、コンタクトレンズの左右を間違えて目に着けることで生じる眼科医師などによって確認してもらう煩わしさや、着け直しのための時間のロスなどの問題が全て解決できるようになる。
【考案を実施するための最良の形態】
【０００８】
本考案の実施するための形態を説明する。
本考案のコンタクトレンズ収納容器は、図１に示すように、中央に隔壁９を形成して左右２枚のコンタクトレンズＲ、Ｌを分離収納可能な上下２つの収納空間Ｓ1、Ｓ2を形成した円筒状のアクリル製の容器本体１と、前記両収納空間Ｓ1、Ｓ2内に向けてコンタクトレンズＲ、Ｌを挟持可能なポリエチレン製のレンズ把持部８を突設した液体Ｅ密封用のポリプロピレン製のコキャップ２、３とから成るコンタクトレンズ収納容器であり、前記円筒状の容器本体１と前記上下のキャップ３、４とは、図３に示すように、ネジ部１０で螺着され、その際パッキン１１で液体Ｅが密封できるようになっている。
そして、一方のキャップ３の上面３ａは、コンタクトレンズ用の液体Ｅを充填して該キャップ３で容器の一方を密封した収納容器１を逆さに置いたときに安定的に自立できるように、該キャップ３は凹凸のない滑らかな平面にする。
もう一方の前記キャップ２は、キャップの上面２ａに凹凸目印４を形成する。
この凹凸目印４は、キャップ２で蓋した容器本体１を逆さに置いたときに安定的に容器本体１が直立できるように、その凹凸目印４内に、前記キャップ上面２ａを下にして水平面に直立させて置いたとき該水平面に接する少なくとも３点の最高となる突出部５、６、７を、該上面中心約から離れた周縁寄り部位に相互に距離を置いて分散状態に配置する
【０００９】
前記凹凸目印４の３点の最高となる突出部５、６、７は、全部を同一平面に形成しても良く、またそれぞれを同一平面上に部分平面となるよう別々に形成しても良い。
この凹凸目印４の形成は、キャップ２自体に、金型による樹脂注入成形や、削り出しなどで一体形成することもできるが、平面状のキャップ２面上に、後付けで凹凸目印４の部品を溶着したり、穴を開けて嵌め込んだり、また接着剤で貼り付けるなどの各種方法で形成することが可能である。
【００１０】
また、前記凹凸目印４の形状を深みの大きい浮き彫り模様で、記号又は絵（幾何学模様を含む）など各種デザインとすることができ、その際でも、各種デザインの中に凹凸目印４の最高となる突出部５、６、７の３点が同一平面上に含まれるように形成する。こうすることによって、キャップ２が三点支持により安定的に自立できるようになるとともに、その形状によって視覚的にも識別しやすくなる。
例えば、前記凹凸目印４の形状は、図２のような花模様、図４のような不規則な模様、図５のような動物の顔、図６のような水玉模様など様々な形状にすることができる。
上記各種凹凸目印４によって、容器本体１に分離収納された左右のコンタクトレンズＲ、Ｌがどちらの収納空間Ｓ1、Ｓ2に左右どちらのコンタクトレンズが収められているかを目で見るだけではなく指で触れることで肉体的に確認できるので左右を間違えることがなくなる。その際に凹凸目印４は一方の面のみにあり他方側の面にはないので、全く間違えることがなくなる。
なお、図２のように、前記キャップ２の周面に右側を示すＲ（ライトの頭文字）、左側を示すＬ（レフトの頭文字）の文字を印刷してさらに視覚的に確認できるようにしても良い。
【００１１】
また、前記キャップ２上面２ａの凹凸目印４は、容器本体１を直立状態に自立させるために、３点以上の最高となる突出部５、６、７を含む凹凸目印４を形成したものであるが、その態様は、３点の最高となる突出部の突起を絵や記号部分から独立させて形成させる態様も可能である。
【図面の簡単な説明】
【００１２】
【図１】本考案の縦断斜視図である。
【図２】本考案の斜視図である。
【図３】挟持片にレンズを挟んでキャップを上向きにした状態を示す縦断斜視図である。
【図４】挟持片にレンズを挟んでキャップを上向きにした状態を示す縦断斜視図である。
【図５】キャップ上面部分の縦断斜視図である。
【図６】キャップ上面部分の縦断斜視図である。
【符号の説明】
【００１３】
１    容器本体
２    キャップ
２ａ  キャップの上面
３    キャップ
３ａ  キャップの上面
４    凹凸目印
５    最高となる突出部
６    最高となる突出部
７    最高となる突出部
８    レンズ把持部
９    隔壁
１０    ネジ部
１１    パッキン
Ｓ1  収納空間
Ｓ2  収納空間
Ｅ    コンタクトレンズ用液
Ｒ    コンタクトレンズ
Ｌ    コンタクトレンズ
【図１】
0003116688.tif 000003
【図２】
0003116688.tif 000004
【図３】
0003116688.tif 000005
【図４】
0003116688.tif 000006
【図５】
0003116688.tif 000007
【図６】
0003116688.tif 000008